(57)【要約】【課題】容易かつ素早く測量対象の土地形状を把握でき、当該土地に関する税金の計算に用いる報告書を自動で生成できる報告書作成システムを提供する。【解決手段】報告書作成システム１は、土地の境界を定める複数の基準点のうち、一の基準点の位置情報を取得する基準位置情報取得部１１０と、一の基準点から他の基準点までの距離と、一の基準点を通る基準線と一の基準点及び他の基準点を結ぶ直線とのなす角度とに基づいて境界図形データを生成する境界図形データ生成部１３０と、地図を示す地図データを当該地図が表す位置を示す地図位置情報に対応づけて格納する地図データ格納部２２５と、位置情報と一致する地図位置情報に対応する地図データを取得する地図データ取得部２２０と、境界図形データが示す図形と地図データが示す地図とを配列した報告書を作成する報告書データ作成部２３０とを備える。【選択図】図１
2014085146.tif 000002
【特許請求の範囲】
【請求項１】
土地に関する税金算出用の報告書を作成する報告書作成システムであって、
前記土地の境界を定める複数の基準点のうち、一の基準点の位置情報を取得する基準位置情報取得部と、
前記一の基準点から他の基準点までの距離を示す距離情報と、前記一の基準点を通る基準線と前記一の基準点及び前記他の基準点を結ぶ直線とのなす角度を示す角度情報とに基づいて前記複数の基準点で決定される前記境界を表す図形を示す境界図形データを生成する境界図形データ生成部と、
地図を示す地図データを当該地図が表す位置を示す地図位置情報に対応づけて格納する地図データ格納部と、
前記位置情報と一致する前記地図位置情報に対応する前記地図データを前記地図データ格納部から取得する地図データ取得部と、
前記境界図形データが示す前記図形と前記地図データが示す前記地図とを配列した報告書を表す報告書データを作成する報告書データ作成部と
を備える報告書作成システム。
【請求項２】
前記報告書作成システムが、
前記基準位置情報取得部及び前記境界図形データ生成部を有する情報端末と、
前記地図データ格納部、前記地図データ取得部、及び前記報告書データ作成部を有するサーバーとを備え、
前記情報端末が、前記境界図形データを前記位置情報に対応づけて前記サーバーにリアルタイムで送信する送信部を更に有し、
前記サーバーが、前記境界図形データ及び前記位置情報を受信する受信部を更に有する請求項１に記載の報告書作成システム。
【請求項３】
前記情報端末が、
前記境界図形データに対応づける前記土地の属性を示す属性情報を取得する属性情報取得部と、
前記境界図形データに対応づける前記土地の区分けを示す区分け情報を取得する区分け情報取得部とを更に有し、
前記送信部が、前記境界図形データに前記位置情報、前記属性情報、及び前記区分け情報を対応づけて前記サーバーに送信し、
前記報告書データ作成部が、前記属性情報及び前記区分け情報に基づいて前記報告書データを作成する請求項２に記載の報告書作成システム。
【請求項４】
前記送信部が、前記境界図形データに対してデータ変換を施さずに前記境界図形データを前記サーバーに送信し、
前記境界図形データ生成部と前記報告書データ作成部とが、前記境界図形データに関し、同一のロジックでデータ処理を実行する請求項３に記載の報告書作成システム。
【請求項５】
前記情報端末が、
前記境界図形データ生成部における前記境界図形データの生成と同時に、前記境界図形データが示す前記図形を表示する端末側表示部を更に有する請求項４に記載の報告書作成システム。
【請求項６】
土地に関する税金算出用の報告書を作成する報告書作成方法であって、
前記土地の境界を定める複数の基準点のうち、一の基準点の位置情報を取得する基準位置情報取得段階と、
前記基準位置情報取得段階において取得された前記一の基準点から他の基準点までの距離を示す距離情報と、前記一の基準点を通る基準線と前記一の基準点及び前記他の基準点を結ぶ直線とのなす角度を示す角度情報とに基づいて前記複数の基準点で決定される前記境界を表す図形を示す境界図形データを生成する境界図形データ生成段階と、
地図を示す地図データを当該地図が表す位置を示す地図位置情報に対応づけて格納する前記地図データ格納部から前記位置情報と一致する前記地図位置情報に対応する前記地図データを取得する地図データ取得段階と、
前記境界図形データが示す前記図形と前記地図データが示す前記地図とを配列した報告書を表す報告書データを作成する報告書データ作成段階と
を備える報告書作成方法。
【請求項７】
土地に関する税金算出用の報告書を作成する報告書作成システム用のプログラムであって、
前記報告書作成システムに、
前記土地の境界を定める複数の基準点のうち、一の基準点の位置情報を取得する基準位置情報取得機能と、
前記基準位置情報取得機能が取得した前記一の基準点から他の基準点までの距離を示す距離情報と、前記一の基準点を通る基準線と前記一の基準点及び前記他の基準点を結ぶ直線とのなす角度を示す角度情報とに基づいて前記複数の基準点で決定される前記境界を表す図形を示す境界図形データを生成する境界図形データ生成機能と、
地図を示す地図データを当該地図が表す位置を示す地図位置情報に対応づけて格納する前記地図データ格納部から前記位置情報と一致する前記地図位置情報に対応する前記地図データを取得する地図データ取得機能と、
前記境界図形データが示す前記図形と前記地図データが示す前記地図とを配列した報告書を表す報告書データを作成する報告書データ作成機能と
を実現させる報告書作成システム用のプログラム。
【発明の詳細な説明】
【技術分野】
【０００１】
本発明は、報告書作成システム、報告書作成方法、及び報告書作成システム用のプログラムに関する。特に、本発明は、測量した土地に関する税金算出用の報告書を作成する報告書作成システム、報告書作成方法、及び報告書作成システム用のプログラムに関する。
【背景技術】
【０００２】
従来、測量や家屋調査等の作業現場で測量装置を用いて測量や家屋調査等を実行する調査システムにおいて、作業現場で取得する調査対象物に関する対象物データを測量装置のデータ入力部に入力するステップと、入力された対象物データを記憶して、対象物データを作業現場でデータベース化するステップと、データベース化された対象物データを、測量装置の画面上に使用者の所望する形式で加工可能に表示するステップとで構成される調査システムが知られている（例えば、特許文献１参照。）。特許文献１に記載の調査システムによれば、測量や家屋調査等の作業現場で現場情報を正確に取得することができる。
【先行技術文献】
【特許文献】
【０００３】
【特許文献１】特開２００６−１１３０００号公報
【発明の概要】
【発明が解決しようとする課題】
【０００４】
しかし、特許文献１に記載されているような調査システムにおいては、データベースを作業現場で構築することを要するので、データ処理に時間がかかるだけでなく、作業現場に持ち込むシステムが大掛かりになる場合がある。
【０００５】
したがって、本発明の目的は、作業現場においてデータベースを構築することを要さずに容易かつ素早く測量対象の土地の形状を把握できると共に、当該土地に関する税金の計算に用いる報告書を自動で生成できる報告書作成システム、報告書作成方法、及び報告書作成システム用のプログラムを提供することにある。
【課題を解決するための手段】
【０００６】
本発明は、上記目的を達成するため、土地に関する税金算出用の報告書を作成する報告書作成システムであって、土地の境界を定める複数の基準点のうち、一の基準点の位置情報を取得する基準位置情報取得部と、一の基準点から他の基準点までの距離を示す距離情報と、一の基準点を通る基準線と一の基準点及び他の基準点を結ぶ直線とのなす角度を示す角度情報とに基づいて複数の基準点で決定される境界を表す図形を示す境界図形データを生成する境界図形データ生成部と、地図を示す地図データを当該地図が表す位置を示す地図位置情報に対応づけて格納する地図データ格納部と、位置情報と一致する地図位置情報に対応する地図データを地図データ格納部から取得する地図データ取得部と、境界図形データが示す図形と地図データが示す地図とを配列した報告書を表す報告書データを作成する報告書データ作成部とを備える報告書作成システムが提供される。
【０００７】
また、上記報告書作成システムにおいて、報告書作成システムが、基準位置情報取得部及び境界図形データ生成部を有する情報端末と、地図データ格納部、地図データ取得部、及び報告書データ作成部を有するサーバーとを備え、情報端末が、境界図形データを位置情報に対応づけてサーバーにリアルタイムで送信する送信部を更に有し、サーバーが、境界図形データ及び位置情報を受信する受信部を更に有することもできる。
【０００８】
また、上記報告書作成システムにおいて、情報端末が、境界図形データに対応づける土地の属性を示す属性情報を取得する属性情報取得部と、境界図形データに対応づける土地の区分けを示す区分け情報を取得する区分け情報取得部とを更に有し、送信部が、境界図形データに位置情報、属性情報、及び区分け情報を対応づけてサーバーに送信し、報告書データ作成部が、属性情報及び区分け情報に基づいて報告書データを作成することもできる。
【０００９】
また、上記報告書作成システムにおいて、送信部が、境界図形データに対してデータ変換を施さずに境界図形データをサーバーに送信し、境界図形データ生成部と報告書データ作成部とが、境界図形データに関し、同一のロジックでデータ処理を実行することもできる。
【００１０】
また、上記報告書作成システムにおいて、情報端末が、境界図形データ生成部における境界図形データの生成と同時に、境界図形データが示す図形を表示する端末側表示部を更に有することもできる。
【００１１】
また、本発明は、上記目的を達成するため、土地に関する税金算出用の報告書を作成する報告書作成方法であって、土地の境界を定める複数の基準点のうち、一の基準点の位置情報を取得する基準位置情報取得段階と、基準位置情報取得段階において取得された一の基準点から他の基準点までの距離を示す距離情報と、一の基準点を通る基準線と一の基準点及び他の基準点を結ぶ直線とのなす角度を示す角度情報とに基づいて複数の基準点で決定される境界を表す図形を示す境界図形データを生成する境界図形データ生成段階と、地図を示す地図データを当該地図が表す位置を示す地図位置情報に対応づけて格納する地図データ格納部から位置情報と一致する地図位置情報に対応する地図データを取得する地図データ取得段階と、境界図形データが示す図形と地図データが示す地図とを配列した報告書を表す報告書データを作成する報告書データ作成段階とを備える報告書作成方法が提供される。
【００１２】
また、本発明は、上記目的を達成するため、土地に関する税金算出用の報告書を作成する報告書作成システム用のプログラムであって、報告書作成システムに、土地の境界を定める複数の基準点のうち、一の基準点の位置情報を取得する基準位置情報取得機能と、基準位置情報取得機能が取得した一の基準点から他の基準点までの距離を示す距離情報と、一の基準点を通る基準線と一の基準点及び他の基準点を結ぶ直線とのなす角度を示す角度情報とに基づいて複数の基準点で決定される境界を表す図形を示す境界図形データを生成する境界図形データ生成機能と、地図を示す地図データを当該地図が表す位置を示す地図位置情報に対応づけて格納する地図データ格納部から位置情報と一致する地図位置情報に対応する地図データを取得する地図データ取得機能と、境界図形データが示す図形と地図データが示す地図とを配列した報告書を表す報告書データを作成する報告書データ作成機能とを実現させる報告書作成システム用のプログラムが提供される。
【発明の効果】
【００１３】
本発明に係る報告書作成システム、報告書作成方法、及び報告書作成システム用のプログラムよれば、作業現場においてデータベースを構築することを要さずに容易かつ素早く測量対象の土地の形状を把握できると共に、当該土地に関する税金の計算に用いる報告書を自動で生成できる報告書作成システム、報告書作成方法、及び報告書作成システム用のプログラムを提供できる。
【図面の簡単な説明】
【００１４】
【図１】本実施の形態に係る報告書作成システムの概要図である。
【図２】本実施の形態に係る報告書作成システムが備える情報端末の機能構成ブロック図である。
【図３】本実施の形態に係る報告書作成システムが備えるサーバーの機能構成ブロック図である。
【図４】（ａ）は本実施の形態に係る境界図形データ生成部による境界図形データの生成の概要図であり、（ｂ）は境界図形データ生成部による区分け情報に基づいた境界図形データの生成の概要図である。
【図５】（ａ）及び（ｂ）は、本実施の形態に係る報告書作成システムが作成する報告書の概要図である。
【図６】本実施の形態に係る報告書作成システムのハードウェア構成図である。
【発明を実施するための形態】
【００１５】
［実施の形態］
図１は、本発明の実施の形態に係る報告書作成システムの概要を示す。
【００１６】
（報告書作成システム１の概要）
本実施の形態に係る報告書作成システム１は、測量対象である土地８０に関する税金算出用の報告書を自動で作成するシステムである。報告書作成システム１は、現地７０において土地８０の形状を確定する情報を取得し、土地８０の形状を表す線図からなる境界図形データを現地において生成する情報端末１０と、情報端末１０から境界図形データをリアルタイムで受け取り、受け取った境界図形データと現地７０を含む地図データとを用いて自動的に報告書を生成するサーバー２０とを備える。
【００１７】
具体的に、報告書作成システム１の情報端末１０は、現地７０において土地８０の形状を確定する測量データを取得し、取得した測量データに基づいて土地８０の形状を表す線図からなる図形データを生成する。
【００１８】
まず、ユーザー４０が携帯する情報端末１０は、土地８０の基準点８０ａの位置情報を全地球測位システム（ＧＰＳ）の人工衛星５０からの電波を元に取得する。そして、情報端末１０は、基準点８０ａから基準点８０ｂまでの距離を示す距離データと、基準点８０ａを通る基準線（例えば、後述する基準点８０ｄと基準点８０ａとを結ぶ直線）と基準点８０ａと基準点８０ｂとを結ぶ直線とのなす角度を示す角度データとを取得する。次に情報端末１０は、基準点８０ｂから基準点８０ｃまでの距離を示す距離データと、基準点８０ａと基準点８０ｂとを結ぶ直線と基準点８０ｂと基準点８０ｃとを結ぶ直線とのなす角度を示す角度データとを取得する。更に、情報端末１０は、基準点８０ｃから基準点８０ｄまでの距離を示す距離データと、基準点８０ｂと基準点８０ｃとを結ぶ直線と基準点８０ｃと基準点８０ｄとを結ぶ直線とのなす角度を示す角度データとを取得する。
【００１９】
そして、情報端末１０は、取得した基準点８０ａの位置情報と、取得した複数の距離データ及び複数の角度データとを用い、土地８０の形状を表す図形を示す境界図形データを生成する。情報端末１０は、インターネット等の通信ネットワーク３０を介して生成した境界図形データをサーバー２０にリアルタイム、かつ、境界図形データにデータ変換処理を施さずに供給する。
【００２０】
報告書作成システム１のサーバー２０は、情報端末１０から受け取った境界図形データと、現地７０、現地７０周辺の地図（拡大した地図、及び／又は縮小した地図を含む）、現地７０周辺の写真、土地８０に関する情報（例えば、住所、面積、地目、登記に関する情報、及び／又は都市開発に関する情報等）、及び／又は地理情報システム（ＧＩＳ）から取得した各種地理情報とを含む報告書データを自動的に生成する。サーバー２０は、複数の利用者６０、利用者６０ａ、及び／又は利用者６０ｎからの要求に応じ、生成した報告書データを利用者６０、利用者６０ａ、及び／又は利用者６０ｎに利用可能に供給する。なお、利用者６０、利用者６０ａ、及び利用者６０ｎは特に限定されないが、例えば、税理士等である。利用者６０乃至利用者６０ｎは、報告書作成システム１が作成した報告書を税金算出の資料として利用する。
【００２１】
（報告書作成システム１の機能構成）
図２は、本実施の形態に係る報告書作成システムが備える情報端末の機能構成の一例を示す。
【００２２】
報告書作成システム１が備え、ユーザー４０が携帯可能な情報端末１０は、情報の入力を受け付ける入力部１００と、測量地点における基準点の位置を示す位置情報を取得する基準位置情報取得部１１０と、入力部１００に入力された情報の種類に応じて特定の情報の取得、及び／又は情報処理を実行する情報ユニット１２０と、基準位置情報取得部１１０が取得した位置情報及び情報ユニット１２０から受け取る情報に基づいて土地８０の境界を表す図形を示す境界図形データを生成する境界図形データ生成部１３０と、境界図形データ生成部１３０が生成した境界図形データを線図として表示する表示部１４０と、境界図形データ生成部１３０が生成した境界図形データをサーバー２０に送信する送信部１５０とを有する。
【００２３】
（入力部１００）
入力部１００は、情報端末１０の外部から情報（例えば、テキストデータ及び／又は画像データ等）の入力を受け付ける。入力部１００は、例えば、タッチパネル、キーボード等の入力装置、又は有線若しくは無線通信ネットワークを介して外部から情報を受け付ける。入力部１００は、外部から受け付けた情報を情報ユニット１２０に供給する。
【００２４】
（基準位置情報取得部１１０）
基準位置情報取得部１１０は、土地８０の境界を定める複数の基準点のうち、一の基準点の位置情報を取得する。基準位置情報取得部１１０は、ＧＰＳからの電波に基づいて、土地８０の境界を定める複数の基準点の少なくとも１つの基準点の位置を示す位置情報を取得する。位置情報は、例えば、当該位置の緯度及び経度である。基準位置情報取得部１１０は、取得した位置情報を情報ユニット１２０及び／又は境界図形データ生成部１３０に供給する。
【００２５】
（情報ユニット１２０）
情報ユニット１２０は、一の基準点から他の基準点までの距離を示す距離情報を取得する距離情報取得部１２１と、一の基準点を通る基準線と一の基準点と他の基準点とを結ぶ直線とのなす角度を示す角度情報を取得する角度情報取得部１２３と、境界図形データに対応づける土地の属性を示す属性情報を取得する属性情報取得部１２５と、境界図形データに対応づける土地の区分けを示す区分け情報を取得する区分け情報取得部１２７と、土地８０周辺の画像データを取得する画像取得部１２９とを含む。
【００２６】
（距離情報取得部１２１）
距離情報取得部１２１は、現地７０においてユーザー４０が入力部１００に入力した基距離情報を取得する。距離情報取得部１２１は、例えば、土地８０の境界を確定する基準点を一意に識別する基準点識別子に対応づけて距離情報を取得する。距離情報取得部１２１は、取得した距離情報を基準点識別子に対応づけて、境界図形データ生成部１３０に供給する。
【００２７】
（角度情報取得部１２３）
角度情報取得部１２３は、現地７０においてユーザー４０が入力部１００に入力した角度情報を取得する。角度情報取得部１２３は、例えば、角度情報を取得した基準点の基準点識別子に対応づけて角度情報を取得する。一例として、角度情報取得部１２３は、第１の基準点を通る基準線と第１の基準点と第１の基準点の隣の第２の基準点を結ぶ直線とのなす角度を示す角度情報を、第１の基準点を識別する基準点識別子に対応づけて取得する。角度情報取得部１２３は、取得した角度情報を基準点識別子に対応づけて、境界図形データ生成部１３０に供給する。
【００２８】
（属性情報取得部１２５）
属性情報取得部１２５は、ユーザー４０の入力部１００への入力に応じ、土地８０の属性情報を取得する。属性情報取得部１２５は、入力部１００が外部の通信ネットワークに接続されている場合、基準位置情報取得部１１０が取得した位置情報に基づいて、外部のデータベースから属性情報を取得することもできる。属性情報は、例えば、住所等の登記情報、登記住所等の現況情報、及び／又は土地の所有者に関する情報等の所有者情報である。属性情報取得部１２５は、土地８０を一意に識別可能な識別子、例えば、基準点識別子に対応づけて、属性情報を境界図形データ生成部１３０に供給する。
【００２９】
（区分け情報取得部１２７）
区分け情報取得部１２７は、土地８０が複数の区画に区分けされている場合、土地８０の区分け情報を、ユーザー４０の入力部１００への入力に応じて取得する。区分けは、例えば、土地８０が、山林・農地等、造成地、宅地、公共公益施設用地、河川・湖沼等、又はその他の用途に用いられることを示す情報である。区分け情報取得部１２７は、取得した区分け情報を境界図形データ生成部１３０に供給する。
【００３０】
（画像取得部１２９）
画像取得部１２９は、入力部１００に入力された画像データを取得する。画像データは、例えば、土地８０を写した撮像データ、及び／又は土地８０の周囲を写した撮像データである。画像取得部１２９は、取得した撮像データを基準位置情報取得部１１０が取得した位置情報に対応づけて、表示部１４０及び／又は送信部１５０に供給する。なお、情報端末１０が撮像部を更に有している場合、画像取得部１２９は撮像部において撮像された撮像データを取得することもできる。
【００３１】
（境界図形データ生成部１３０）
境界図形データ生成部１３０は、距離情報取得部１２１から受け取った距離情報と角度情報取得部１２３から受け取った角度情報とに基づいて複数の基準点で決定される土地８０の境界を表す図形を示す境界図形データを生成する。すなわち、境界図形データ生成部１３０は、複数の基準点識別子でそれぞれ識別される基準点に対応づけられた距離情報と角度情報とを用い、境界図形データを生成する。例えば、境界図形データ生成部１３０は、少なくとも３つの基準点における３つの距離情報と３つの角度情報とに基づいて、矩形状の境界を示す境界図形データを生成する。境界図形データのデータ形式は、一例として、Ｓｃａｌａｂｌ  Ｖｅｃｔｏｒ  Ｇｒａｐｈｉｃｓ（ＳＶＧ）である。
【００３２】
境界図形データ生成部１３０は、例えば土地８０が矩形の場合、第１の基準点を確定し、第１の基準点から第２の基準点までの距離情報と、第１の基準点を通る基準線と第１の基準点と第２の基準点とを結ぶ直線とのなす角度を示す角度情報とを用い、第１の基準点と第２の基準点とを直線で結ぶ。同様に境界図形データ生成部１３０は、第２の基準点と第３の基準点とを直線で結び、第３の基準点と第４の基準点とを直線で結び、更に第４の基準点と第１の基準点とを直線で結ぶ。これにより、境界図形データ生成部１３０は、土地８０の境界と相似形状の線図からなる境界図形データを生成する。なお、境界図形データ生成部１３０は、生成した境界図形データに、属性情報及び／又は区分け情報を対応づけてもよい。境界図形データ生成部１３０は、生成した境界図形データを表示部１４０及び／又は送信部１５０に供給する。
【００３３】
（表示部１４０）
端末側表示部としての表示部１４０は、境界図形データ生成部１３０から受け取った境界図形データが示す線図を表示する。表示部１４０は、境界図形データ生成部１３０における境界図形データの生成と実質的に同時に、当該境界図形データが示す図形を表示する。これによりユーザー４０は、現地７０においてリアルタイムで土地８０の形状を確認できる。なお、表示部１４０は、画像取得部１２９から画像データを受け取った場合、当該画像データを表示することもできる。
【００３４】
（送信部１５０）
送信部１５０は、境界図形データ生成部１３０から受け取った境界図形データを位置情報に対応づけてサーバー２０にリアルタイムで供給する。送信部１５０は、境界図形データに属性情報及び／又は区分け情報が対応づけられている場合、境界図形データと共に属性情報及び／又は区分け情報をサーバー２０に供給する。送信部１５０は、位置情報が対応づけられた画像データをサーバー２０に供給することもできる。また、本実施の形態において送信部１５０は、境界図形データをサーバー２０に送信する場合、境界図形データに対してデータ変換を施さずに送信する。すなわち、送信部１５０は、境界図形データ生成部１３０が生成した境界図形データのデータ形式を他のデータ形式に変換せずに境界図形データを送信する。
【００３５】
図３は、本実施の形態に係る報告書作成システムが備えるサーバーの機能構成の一例を示す。
【００３６】
報告書作成システム１が備えるサーバー２０は、通信ネットワーク３０を介して情報端末１０から境界図形データを含むデータを受け取る受信部２００と、受信部２００が受け取ったデータを編集するデータ編集部２１０と、地図の位置を示す地図位置情報に対応づけて地図データを格納する地図データ格納部２２５と、境界図形データに対応づけられている位置情報に基づいて地図データ格納部２２５から地図データを取得する地図データ取得部２２０と、報告書のレイアウトを示すレイアウトデータを格納するレイアウト格納部２３５と、地図データ取得部２２０から取得した地図データとレイアウト格納部２３５から取得したレイアウトデータとに基づいて報告書データを作成する報告書データ作成部２３０と、報告書データ作成部２３０が作成した報告書データをサーバー２０の外部に出力する出力部２４０とを有する。
【００３７】
（受信部２００）
受信部２００は、通信ネットワーク３０を介し、情報端末１０から位置情報、属性情報、及び／又は区分け情報が対応づけられた境界図形データを受信する。受信部２００は、当該境界図形データをデータ編集部２１０、地図データ取得部２２０、及び報告書データ作成部２３０に供給する。
【００３８】
（データ編集部２１０）
データ編集部２１０は、必要に応じて境界図形データに編集を施す。例えば、データ編集部２１０は、土地８０の形状が不整形地である場合、ユーザーからの指示に応じて境界図形データが示す線図を土地８０の形状に正確に合致させるべく、境界図形データに編集を施す。データ編集部２１０は、編集を施した境界図形データを地図データ取得部２２０に供給する。
【００３９】
（地図データ取得部２２０、地図データ格納部２２５）
地図データ格納部２２５は、地図を示す地図データを当該地図が表す位置を示す地図位置情報に対応づけて格納する。地図位置情報は、例えば、緯度及び経度情報である。地図データ格納部２２５は、地図位置情報が示す位置の公図データ、地図位置情報が示す位置周辺の写真データ及び／又は航空写真データ、並びにその他の地図データを地図位置情報に対応づけて格納することができる。地図データ格納部２２５は、地図データ取得部２２０からの働きかけに応じ、地図データ取得部２２０に地図データを供給する。
【００４０】
地図データ取得部２２０は、受信部２００が受信した位置情報と一致する地図位置情報に対応する地図データを地図データ格納部２２５から取得する。地図データ取得部２２０は、取得した地図データを報告書データ作成部２３０に供給する。なお、地図データ取得部２２０は、データ編集部２１０から編集が施された境界図形データを受け取った場合、当該境界図形データを報告書データ作成部２３０に供給することもできる。
【００４１】
（報告書データ作成部２３０、レイアウト格納部２３５）
レイアウト格納部２３５は、報告書のレイアウトを示すレイアウト情報を格納する。レイアウト格納部２３５は、境界図形データが示す線図、地図、写真、及び／又はその他の土地に関する情報等が配置される領域を含む複数のレイアウトパターンをレイアウト情報として格納する。レイアウト格納部２３５は、報告書データ作成部２３０の働きかけに応じ、所定のレイアウト情報を報告書データ作成部２３０に供給する。
【００４２】
報告書データ作成部２３０は、境界図形データが示す図形と地図データが示す地図とを配列した報告書の報告書データを作成する。報告書データ作成部２３０は、レイアウト格納部２３５からレイアウト情報を取得し、取得したレイアウト情報が示すレイアウトパターンの所定の位置に、境界図形データ及び地図データを配置することで報告書データを作成する。また、報告書データ作成部２３０は、受信部２００が属性情報及び／又は区分け情報を受信した場合、属性情報及び／又は区分け情報をレイアウトパターンの所定の位置に配置した報告書データを作成することもできる。更に、報告書データ作成部２３０は、境界図形データが示す図形と地図データが示す地図とを重ね合わせた合成地図の合成地図データを作成することもできる。報告書データ作成部２３０は、作成した報告書データを出力部２４０に供給する。
【００４３】
ここで、本実施の形態において情報端末１０が有する境界図形データ生成部１３０と、サーバー２０が有する報告書データ作成部２３０とはそれぞれ、境界図形データの作成、及び境界図形データの利用に関し、同一のロジックでデータ処理を実行する。すなわち、情報端末１０とサーバー２０とは、同一のライブラリ（すなわち、同一のプログラム）を用いて少なくとも境界図形データを取り扱う。したがって、情報端末１０とサーバー２０との間における境界図形データのやり取りにおいて、境界図形データのデータ形式を変換することを要さないので、サーバー２０は境界図形データに関するデータ処理を素早く実行できる。
【００４４】
（出力部２４０）
出力部２４０は、報告書データをサーバー２０の外部に出力する。出力部２４０は、報告書データを所定のデータファイル（例えば、ＰＤＦファイル）として出力する。また、出力部２４０は、報告書データをサーバー２０から離れた地点に存在する情報端末に送信することもできる。更に、出力部２４０は、液晶モニター等の表示装置に出力可能なデータ形式で報告書データを出力することもできる。なお、出力部２４０は、境界図形データを他の情報機器用のデータとして出力することもできる。例えば、境界図形データがＳＶＧ形式のデータである場合、出力部２４０は、境界図形データをＣＡＤ用のデータとしてそのまま出力できる。
【００４５】
（境界図形データの概要）
図４（ａ）は、本実施の形態に係る境界図形データ生成部による境界図形データの生成の概要を示し、（ｂ）は、境界図形データ生成部による区分け情報に基づいた境界図形データの生成の概要を示す。
【００４６】
図４（ａ）に示すように境界図形データ生成部１３０は、第１の地点Ｐ１（基準点８０ａ）から第２の地点Ｐ２（基準点８０ｂ）までの距離情報と、第１の地点Ｐ１を通る基準線（例えば、基準点８０ａと基準点８０ｄとを通る直線）に対して第１の地点Ｐ１と第２の地点Ｐ２とを結んだ直線がなす角度を示す角度情報とを用い、第１の地点Ｐ１の位置に対する第２の地点Ｐ２の相対的な位置を決定し、第１の地点Ｐ１と第２の地点Ｐ２とを直線で結ぶ。これを第２の地点Ｐ２と第３の地点Ｐ３（基準点８０ｃ）との間、第３の地点Ｐ３と第４の地点Ｐ４（基準点８０ｄ）との間、及び第４の地点Ｐ４と第１の地点Ｐ１との間のそれぞれで繰り返す。そして、境界図形データ生成部１３０は、地点Ｐ１乃至地点Ｐ４を結んだ線図を境界図形データとして生成する。
【００４７】
また、図４（ｂ）に示すように境界図形データ生成部１３０は、区分け情報取得部１２７から区分け情報を受け取った場合、受け取った区分け情報に基づいて境界図形データを作成する。例えば、区分け情報が地点Ｐ１と地点Ｐ３とを結ぶことにより土地８０が土地８２と土地８４とに分割される内容を示す場合、境界図形データ生成部１３０は、地点Ｐ１と地点Ｐ３とを直線で結んだ境界図形データを生成する。
【００４８】
（報告書の概要）
図５（ａ）及び（ｂ）は、本実施の形態に係る報告書作成システムが作成する報告書の概要の例を示す。
【００４９】
報告書は、土地８０について、例えば相続時における税金を計算する場合に用いる資料としての役割を有する。したがって、報告書には、対象となる土地８０にかかる税金の計算に用いられる複数の情報が表示される。例えば、図５（ａ）に示すように、報告書データ作成部２３０は、報告書９０の上半分の表示領域９０ａに境界図形データが示す土地８０の線図を表示し、下左半分の表示領域９０ｂに土地８０を含む地図を表示し、下右半分の表示領域９０ｃに当該地図の拡大地図を表示する報告書の報告書データをレイアウト格納部２３５が格納しているレイアウト情報を用いて作成する。
【００５０】
また、図５（ｂ）に示すように、報告書データ作成部２３０は、報告書９２の上半分の表示領域９２ａに境界図形データが示す土地８０の線図を表示し、その他の表示領域９２ｂ、表示領域９２ｃ、表示領域９２ｄ、及び表示領域９２ｅに、土地８０を含む地図、及び土地８０の周辺の複数の写真を表示する報告書データをレイアウト格納部２３５が格納しているレイアウト情報を用いて作成する。
【００５１】
（報告書作成システム１の動作の概要）
報告書作成システム１は、概略以下のように動作する。
【００５２】
まず、情報端末１０の基準位置情報取得部１１０が土地８０の第１の基準点の位置情報を取得する。基準位置情報取得部１１０は、位置情報を境界図形データ生成部１３０に供給する。
【００５３】
また、距離情報取得部１２１は、第１の基準点と第２の基準点との間の距離を示す距離情報を取得する。また、角度情報取得部１２３は、第１の基準点を通る基準線に対し、第１の基準点と第２の基準点とを結ぶ直線がなす角度を示す角度情報を取得する。距離情報取得部１２１と角度情報取得部１２３とはそれぞれ、土地８０の境界を画定する複数の基準点のそれぞれについて距離情報及び角度情報を取得する。距離情報取得部１２１及び角度情報取得部１２３はそれぞれ、取得した距離情報及び角度情報を境界図形データ生成部１３０に供給する。
【００５４】
境界図形データ生成部１３０は、複数の距離情報及び複数の角度情報に基づいて境界図形データを生成する。そして、境界図形データ生成部１３０は、生成した境界図形データに位置情報を対応づけて送信部１５０に供給する。送信部１５０は、位置情報が対応づけられた境界図形データをサーバー２０に送信する。
【００５５】
サーバー２０の地図データ取得部２２０は、境界図形データを受信した場合、受信した境界図形データに対応づけられている位置情報と一致する地図位置情報に対応する地図データを地図データ格納部２２５から取得する。地図データ取得部２２０は、取得した地図データを報告書データ作成部２３０に供給する。報告書データ作成部２３０は、レイアウト格納部２３５から所定のレイアウト情報を取得し、取得したレイアウト情報が示すレイアウトの所定の領域に境界図形データ及び地図データをはめ込むことで、報告書データを作成する。報告書データ作成部２３０は出力部２４０を介してサーバー２０の外部に作成した報告書データを出力する。
【００５６】
（実施の形態の効果）
本実施の形態に係る報告書作成システム１は、ユーザー４０が現地７０において土地８０の境界を確定する複数の基準点のうちの一の基準点の位置情報と、各基準点間の距離情報及び角度情報とを情報端末１０に入力するだけで、土地８０の境界を示す線図データとしての境界図形データを生成し、サーバー２０がこの境界図形データを用いてリアルタイムに報告書データを生成する。これにより、報告書作成システム１によれば、作業現場において情報端末１０に複雑な動作をさせることを要さずに、容易に素早く土地８０の形状を把握することができると共に、土地８０に関する税金の算出に有用な報告書を自動的に生成することができる。
【００５７】
図６は、本発明の実施の形態に係る報告書作成システムのハードウェア構成の一例を示す。
【００５８】
本実施の形態に係る報告書作成システム１は、ＣＰＵ１５００と、グラフィックコントローラ１５２０と、ＲａｎｄｏｍＡｃｃｅｓｓＭｅｍｏｒｙ（ＲＡＭ）、Ｒｅａｄ−ＯｎｌｙＭｅｍｏｒｙ（ＲＯＭ）及び／又はフラッシュＲＯＭ等のメモリ１５３０と、データを記憶する記憶装置１５４０と、記録媒体からデータを読み込み及び／又は記録媒体にデータを書き込む読込み／書込み装置１５４５と、データを入力する入力装置１５６０と、外部の通信機器とデータを送受信する通信インターフェース１５５０と、ＣＰＵ１５００とグラフィックコントローラ１５２０とメモリ１５３０と記憶装置１５４０と読込み／書込み装置１５４５と入力装置１５６０と通信インターフェース１５５０とを互いに通信可能に接続するチップセット１５１０とを備える。
【００５９】
チップセット１５１０は、メモリ１５３０と、メモリ１５３０にアクセスして所定の処理を実行するＣＰＵ１５００と、外部の表示装置の表示を制御するグラフィックコントローラ１５２０とを相互に接続することにより、各構成要素間のデータの受渡しを実行する。ＣＰＵ１５００は、メモリ１５３０に格納されたプログラムに基づいて動作して、各構成要素を制御する。グラフィックコントローラ１５２０は、メモリ１５３０内に設けられたバッファ上に一時的に蓄えられた画像データに基づいて、画像を所定の表示装置に表示させる。
【００６０】
また、チップセット１５１０は、記憶装置１５４０と、読込み／書込み装置１５４５と、通信インターフェース１５５０とを接続する。記憶装置１５４０は、報告書作成システム１のＣＰＵ１５００が使用するプログラムとデータとを格納する。記憶装置１５４０は、例えば、フラッシュメモリである。読込み／書込み装置１５４５は、プログラム及び／又はデータを記憶している記憶媒体からプログラム及び／又はデータを読み取って、読み取ったプログラム及び／又はデータを記憶装置１５４０に格納する。読込み／書込み装置１５４５は、例えば、通信インターフェース１５５０を介し、インターネット上のサーバーから所定のプログラムを取得して、取得したプログラムを記憶装置１５４０に格納する。
【００６１】
通信インターフェース１５５０は、通信ネットワークを介して外部の装置とデータの送受信を実行する。また、通信インターフェース１５５０は、通信ネットワークが不通の場合、通信ネットワークを介さずに外部の装置とデータの送受信を実行することもできる。そして、タブレット、マイク等の入力装置１５６０は、所定のインターフェースを介してチップセット１５１０と接続する。
【００６２】
記憶装置１５４０に格納される報告書作成システム１のプログラムは、インターネット等の通信ネットワーク、又は磁気記録媒体、光学記録媒体等の記録媒体を介して記憶装置１５４０に提供される。そして、記憶装置１５４０に格納された報告書作成システム１用のプログラムは、ＣＰＵ１５００により実行される。
【００６３】
本実施の形態に係る報告書作成システム１により実行される報告書作成システム用のプログラムは、ＣＰＵ１５００に働きかけて、報告書作成システム１を、図１から図５にかけて説明した入力部１００、基準位置情報取得部１１０、距離情報取得部１２１、角度情報取得部１２３、属性情報取得部１２５、区分け情報取得部１２７、画像取得部１２９、境界図形データ生成部１３０、表示部１４０、送信部１５０、受信部２００、データ編集部２１０、地図データ取得部２２０、地図データ格納部２２５、報告書データ作成部２３０、レイアウト格納部２３５、及び出力部２４０として機能させる。
【００６４】
以上、本発明の実施の形態を説明したが、上記に記載した実施の形態は特許請求の範囲に係る発明を限定するものではない。また、実施の形態の中で説明した特徴の組合せのすべてが発明の課題を解決するための手段に必須であるとは限らない点に留意すべきである。
【符号の説明】
【００６５】
１  報告書作成システム
１０  情報端末
２０  サーバー
３０  通信ネットワーク
４０  ユーザー
５０  人工衛星
６０、６０ａ、６０ｎ  利用者
７０  現地
８０、８２、８４  土地
８０ａ、８０ｂ、８０ｃ、８０ｄ  基準点
９０、９２  報告書
９０ａ、９０ｂ、９０ｃ  表示領域
９２ａ、９２ｂ、９２ｃ、９２ｄ、９２ｅ  表示領域
１００  入力部
１１０  基準位置情報取得部
１２０  情報ユニット
１２１  距離情報取得部
１２３  角度情報取得部
１２５  属性情報取得部
１２７  区分け情報取得部
１２９  画像取得部
１３０  境界図形データ生成部
１４０  表示部
１５０  送信部
２００  受信部
２１０  データ編集部
２２０  地図データ取得部
２２５  地図データ格納部
２３０  報告書データ作成部
２３５  レイアウト格納部
２４０  出力部
１５００  ＣＰＵ
１５１０  チップセット
１５２０  グラフィックコントローラ
１５３０  メモリ
１５４０  記憶装置
１５４５  読込み／書込み装置
１５５０  通信インターフェース
１５６０  入力装置
【図１】
2014085146.tif 000003
【図２】
2014085146.tif 000004
【図３】
2014085146.tif 000005
【図４】
2014085146.tif 000006
【図５】
2014085146.tif 000007
【図６】
2014085146.tif 000008